(57)【要約】【課題】利用者毎の課金が実現でき、サーバからのコンテンツ提供を簡単な操作で実現できる情報処理方法及び情報処理システムを提供する。【解決手段】サーバ３と携帯通信端末２と映像記録再生装置１とを有するシステムにおける情報処理方法であって、携帯通信端末２が、自身の端末固有識別情報を、映像記録再生装置２が受信可能な方式で映像記録再生装置１に送るステップと、映像記録再生装置２が、受信した端末固有識別情報を記憶するステップと、映像記録再生装置１が、映像機器固有識別情報と端末固有識別情報をインターネット４を経由してサーバ３に送信するステップと、サーバ３が、映像記録再生装置１から受信した映像機器固有識別情報及び端末固有識別情報を記憶するステップと、携帯通信端末２が、自身の端末固有識別情報を携帯電話網５を経由してサーバ３に送信するステップとを有する。【選択図】図１
2010267073.tif 000002
【特許請求の範囲】
【請求項１】
自身に固有のサーバ固有識別情報を記憶するサーバと、
自身に固有の端末固有識別情報を記憶し、前記サーバと携帯電話網を経由して通信可能な携帯通信端末と、
自身に固有の映像機器固有識別情報を記憶し、前記サーバとネットワークを経由して通信可能であり且つ前記携帯通信端末と通信可能な映像記録再生装置と
を有するシステムにおける、情報処理方法であって、
前記携帯通信端末が、自身の端末固有識別情報を、前記映像記録再生装置が受信可能な方式で前記映像記録再生装置に送るステップと、
前記映像記録再生装置が、受信した前記端末固有識別情報を記憶するステップと、
前記映像記録再生装置が、前記映像機器固有識別情報と前記端末固有識別情報を、ネットワークを経由して前記サーバに送信するステップと、
前記サーバが、前記映像記録再生装置から受信した前記映像機器固有識別情報及び前記端末固有識別情報を記憶するステップと
を有することを特徴とする情報処理方法。
【請求項２】
前記携帯通信端末が、自身の端末固有識別情報を、携帯電話網を経由して前記サーバに送信するステップと、
前記サーバが、前記記憶された端末固有識別情報が前記携帯通信端末から受信した前記端末固有識別情報に一致するか否かを確認し、一致すると判断したときに、自身のサーバ固有識別情報と前記記憶された映像機器固有識別情報と前記記憶された端末固有識別情報との組を関連付け情報として記録するステップと
を有することを特徴とする請求項１に記載の情報処理方法。
【請求項３】
前記映像記録再生装置が、自身の端末固有識別情報と、購入するコンテンツのコンテンツ識別子を前記ネットワークを経由して前記サーバに送信するステップと、
前記サーバが、前記記憶された映像機器固有識別情報が前記映像記録再生装置から受信した前記映像機器固有識別情報に一致するか否かを確認し、一致すると判断したときに、コンテンツのダウンロードを許可するステップと
を有することを特徴とする請求項１又は２に記載の情報処理方法。
【請求項４】
前記サーバがダウンロードを許可するステップの前に、
前記携帯通信端末が、前記映像記録再生装置から、前記サーバの接続情報、前記映像機器固有識別子、及び自身の端末固有識別情報を、携帯電話網を経由して前記サーバに送信するステップと、
前記サーバが、前記記憶された前記映像記録再生装置の映像機器固有識別情報が前記携帯通信端末から受信した前記映像機器識別情報に一致するか否かを確認するステップとを有し、
前記確認するステップにおいて一致すると判断したときに、前記ダウンロードを許可すること
を特徴とする請求項３に記載の情報処理方法。
【請求項５】
前記映像記録再生装置が、自身の映像機器固有識別情報と、再生する購入済みのコンテンツのコンテンツ識別子を前記ネットワークを経由して前記サーバに送信するステップと、
前記サーバが、前記記憶された映像機器固有識別情報が前記映像記録再生装置から受信した前記映像機器固有識別情報に一致するか否かを確認し、一致すると判断したときに、再生を許可するステップと
を有することを特徴とする請求項３又は４に記載の情報処理方法。
【請求項６】
前記携帯通信端末が、自身の端末固有識別情報と、コンテンツ購入情報を携帯電話網を経由して前記サーバに送信するステップと、
前記携帯通信端末が、前記映像記録再生装置に、前記コンテンツ購入情報を送信するステップと、
前記映像記録再生装置が、自身の映像機器固有識別情報と前記コンテンツ購入情報とを前記サーバに送信するステップと、
前記サーバが、前記コンテンツ購入情報のコンテンツのダウンロードを許可するステップと
を有することを特徴とする請求項１又は２に記載の情報処理方法。
【請求項７】
前記携帯通信端末が、自身の端末固有識別情報と、コンテンツ購入情報を携帯電話網を経由して前記サーバに送信するステップと、
前記映像記録再生装置が、自身の映像機器固有識別情報と自身のＩＰアドレスと前記コンテンツ購入情報とを前記サーバに送信するステップと、
前記サーバが、前記コンテンツ購入情報を前記携帯通信端末と関連付けられた前記映像記録再生装置の前記ＩＰアドレスに接続し、前記映像記録再生装置へ前記コンテンツ購入情報のコンテンツが新規購入されダウンロードが可能になったことを通知するステップと
を有することを特徴とする請求項１又は２に記載の情報処理方法。
【請求項８】
前記携帯通信端末が、自身の端末固有識別情報と、コンテンツ購入情報を携帯電話網を経由して前記サーバに送信するステップと、
前記映像記録再生装置が、自身の映像機器固有識別情報と、ネットワーク接続用のルータのＩＰアドレス及びポート番号と、前記コンテンツ購入情報とを前記サーバに送信するステップと、
前記サーバが、前記コンテンツ購入情報のコンテンツの、ネットワーク接続用のルータのＩＰアドレス及びポート番号で特定される映像記録再生装置へのコンテンツが新規購入されダウンロードが可能になったことを通知するステップと
を有することを特徴とする請求項１又は２に記載の情報処理方法。
【請求項９】
前記映像記録再生装置が、前記サーバに持続接続するステップと、
前記携帯通信端末が、自身の端末固有識別情報と、コンテンツ購入情報を携帯電話網を経由して前記サーバに送信するステップと、
前記映像記録再生装置が、自身の映像機器固有識別情報を前記サーバに送信するステップと、
前記サーバが、前記映像記録再生装置の前記持続接続を利用して前記映像記録再生装置にコンテンツが新規購入されダウンロードが可能になったことを通知するステップと
を有することを特徴とする請求項１又は２に記載の情報処理方法。
【請求項１０】
前記映像記録再生装置が、前記サーバに定期的に接続し通信を行うステップと、
前記携帯通信端末が、自身の端末固有識別情報と、コンテンツ購入情報を携帯電話網を経由して前記サーバに送信するステップと、
前記映像記録再生装置が、自身の映像機器固有識別情報を前記サーバに送信するステップと、
前記サーバが、前記コンテンツ購入情報を前記映像記録再生装置に通知するステップと
を有することを特徴とする請求項１又は２に記載の情報処理方法。
【請求項１１】
前記システムが、自身に固有の映像機器固有識別情報を記憶し、前記サーバとネットワークを経由して通信可能であり且つ前記携帯通信端末と通信可能な他の映像記録再生装置をさらに有し、
前記携帯通信端末が、自身の端末固有識別情報と、コンテンツ購入情報を携帯電話網を経由して前記サーバに送信するステップと、
前記携帯通信端末が、前記他の映像記録再生装置に、前記コンテンツ購入情報を送信するステップと、
前記他の映像記録再生装置が、自身の映像機器固有識別情報と前記コンテンツ購入情報とを前記サーバに送信するステップと、
前記サーバが、前記コンテンツ購入情報のコンテンツのダウンロードを前記他の映像記録再生装置に許可するステップと
を有することを特徴とする請求項１又は２に記載の情報処理方法。
【請求項１２】
前記携帯通信端末と通信可能な前記映像記録再生装置は、バーコード生成手段と、表示装置と、表示されるバーコードの輝度、コントラスト、誤り訂正レベル、サイズの少なくとも１つを調整する手段とを有し、
前記携帯端末装置は、前記表示装置に表示されたバーコードを読み取り解読する手段を有する
ことを特徴とする請求項１乃至１１のいずれか１項に記載の情報処理方法。
【請求項１３】
自身に固有のサーバ固有識別情報を記憶するサーバと、
自身に固有の端末固有識別情報を記憶し、前記サーバと携帯電話網を経由して通信可能な携帯通信端末と、
自身に固有の映像機器固有識別情報を記憶し、前記サーバとネットワークを経由して通信可能であり且つ前記携帯通信端末と通信可能な映像記録再生装置と
を有する情報処理システムであって、
前記携帯通信端末が、自身の端末固有識別情報を、前記映像記録再生装置が受信可能な方式で前記映像記録再生装置に送る近接通信手段を有し、
前記映像記録再生装置が、受信した前記端末固有識別情報を記憶する記憶手段と、前記映像機器固有識別情報と前記端末固有識別情報を、ネットワークを経由して前記サーバに送信するネットワーク通信手段とを有し、
前記サーバが、前記映像記録再生装置から受信した前記映像機器固有識別情報及び前記端末固有識別情報を記憶する記憶手段を有する
ことを特徴とする情報処理システム。
【請求項１４】
前記携帯通信端末が、自身の端末固有識別情報を、携帯電話網を経由して前記サーバに送信する通信手段を有し、
前記サーバが、前記記憶された端末固有識別情報が前記携帯通信端末から受信した前記端末固有識別情報に一致するか否かを確認し、一致すると判断したときに、自身のサーバ固有識別情報と前記記憶された映像機器固有識別情報と前記記憶された端末固有識別情報との組を関連付け情報として記憶手段に記憶させる制御手段を有する
ことを特徴とする請求項１３に記載の情報処理システム。
【請求項１５】
前記映像記録再生装置が、自身の端末固有識別情報と、購入するコンテンツのコンテンツ識別子を前記ネットワークを経由して前記サーバに送信し、
前記サーバが、前記記憶された映像機器固有識別情報が前記映像記録再生装置から受信した前記映像機器固有識別情報に一致するか否かを確認し、一致すると判断したときに、コンテンツのダウンロードを許可する
ことを特徴とする請求項１３又は１４に記載の情報処理システム。
【請求項１６】
前記サーバが前記ダウンロードを許可する前に、
前記携帯通信端末が、前記映像記録再生装置から、前記サーバの接続情報、前記映像機器固有識別子、及び自身の端末固有識別情報を、携帯電話網を経由して前記サーバに送信し、
前記サーバが、前記記憶された前記映像記録再生装置の映像機器固有識別情報が前記携帯通信端末から受信した前記映像機器識別情報に一致するか否かを確認し、一致すると判断したときに、前記ダウンロードを許可する
ことを特徴とする請求項１５に記載の情報処理システム。
【請求項１７】
前記映像記録再生装置が、自身の映像機器固有識別情報と、再生する購入済みのコンテンツのコンテンツ識別子を前記ネットワークを経由して前記サーバに送信し、
前記サーバが、前記記憶された映像機器固有識別情報が前記映像記録再生装置から受信した前記映像機器固有識別情報に一致するか否かを確認し、一致すると判断したときに、再生を許可する
ことを特徴とする請求項１５又は１６に記載の情報処理システム。
【請求項１８】
前記携帯通信端末が、自身の端末固有識別情報と、コンテンツ購入情報を携帯電話網を経由して前記サーバに送信し、
前記携帯通信端末が、前記映像記録再生装置に、前記コンテンツ購入情報を送信し、
前記映像記録再生装置が、自身の映像機器固有識別情報と前記コンテンツ購入情報とを前記サーバに送信し
前記サーバが、前記コンテンツ購入情報のコンテンツのダウンロードを許可する
ことを特徴とする請求項１３又は１４に記載の情報処理システム。
【請求項１９】
前記携帯通信端末が、自身の端末固有識別情報と、コンテンツ購入情報を携帯電話網を経由して前記サーバに送信し、
前記映像記録再生装置が、自身の映像機器固有識別情報と自身のＩＰアドレスと前記コンテンツ購入情報とを前記サーバに送信し、
前記サーバが、前記コンテンツ購入情報を前記携帯通信端末と関連付けられた前記映像記録再生装置の前記ＩＰアドレスに接続し、前記映像記録再生装置へ前記コンテンツ購入情報のコンテンツが新規購入されダウンロードが可能になったことを通知する
ことを特徴とする請求項１３又は１４に記載の情報処理システム。
【請求項２０】
前記携帯通信端末が、自身の端末固有識別情報と、コンテンツ購入情報を携帯電話網を経由して前記サーバに送信し、
前記映像記録再生装置が、自身の映像機器固有識別情報と、ネットワーク接続用のルータのＩＰアドレス及びポート番号と、前記コンテンツ購入情報とを前記サーバに送信し、
前記サーバが、前記コンテンツ購入情報のコンテンツの、ネットワーク接続用のルータのＩＰアドレス及びポート番号で特定される映像記録再生装置へのコンテンツが新規購入されダウンロードが可能になったことを通知する
ことを特徴とする請求項１３又は１４に記載の情報処理システム。
【請求項２１】
前記映像記録再生装置が、前記サーバに持続接続し、
前記携帯通信端末が、自身の端末固有識別情報と、コンテンツ購入情報を携帯電話網を経由して前記サーバに送信し、
前記映像記録再生装置が、自身の映像機器固有識別情報を前記サーバに送信し、
前記サーバが、前記映像記録再生装置の前記持続接続を利用して前記映像記録再生装置にコンテンツが新規購入されダウンロードが可能になったことを通知する
ことを特徴とする請求項１３又は１４に記載の情報処理システム。
【請求項２２】
前記映像記録再生装置が、前記サーバに定期的に接続し通信を行い、
前記携帯通信端末が、自身の端末固有識別情報と、コンテンツ購入情報を携帯電話網を経由して前記サーバに送信し、
前記映像記録再生装置が、自身の映像機器固有識別情報を前記サーバに送信し、
前記サーバが、前記コンテンツ購入情報を前記映像記録再生装置に通知する
ことを特徴とする請求項１３又は１４に記載の情報処理システム。
【請求項２３】
自身に固有の映像機器固有識別情報を記憶し、前記サーバとネットワークを経由して通信可能であり且つ前記携帯通信端末と通信可能な他の映像記録再生装置をさらに有し、
前記携帯通信端末が、自身の端末固有識別情報と、コンテンツ購入情報を携帯電話網を経由して前記サーバに送信し、
前記携帯通信端末が、前記他の映像記録再生装置に、前記コンテンツ購入情報を送信し、
前記他の映像記録再生装置が、自身の映像機器固有識別情報と前記コンテンツ購入情報とを前記サーバに送信し、
前記サーバが、前記コンテンツ購入情報のコンテンツのダウンロードを前記他の映像記録再生装置に許可する
ことを特徴とする請求項１３又は１４に記載の情報処理システム。
【請求項２４】
前記携帯通信端末と通信可能な前記映像記録再生装置は、バーコード生成手段と、表示装置と、表示されるバーコードの輝度、コントラスト、誤り訂正レベル、サイズの少なくとも１つを調整する手段とを有し、
前記携帯端末装置は、前記表示装置に表示されたバーコードを読み取り解読する手段を有する
ことを特徴とする請求項１３乃至２３のいずれか１項に記載の情報処理システム。
【請求項２５】
請求項１３乃至２４のいずれか１項に記載の情報処理システムにおける前記映像情報記録装置であって、前記受信した端末固有識別情報を記憶する記憶部を有すること特徴とする映像記録再生装置。
【発明の詳細な説明】
【技術分野】
【０００１】
本発明は、サーバからネットワークを経由してコンテンツをダウンロードする映像記録再生装置を含む情報処理システム、このシステムにおける情報処理方法、及び情報処理システムにおける映像記録再生装置に関するものである。
【背景技術】
【０００２】
一般に、サーバからインターネットを経由して情報の提供を受けるサービス（例えば、コンテンツを購入し、ダウンロードするサービス）は、情報の購入者がパソコン（ＰＣ）を利用することを前提にして作られている。このため、映像記録再生装置（映像機器）がネットワーク接続機能を備える場合であっても、映像記録再生装置の操作部（例えば、リモコン）から、ＰＣの利用を前提とする複雑な購入手続を行うことは、利用者にとって面倒で負担が大きいので、映像記録再生装置からのコンテンツの購入は非常に利用し難かった。
【０００３】
また、映像記録再生装置は家族で共用される場合が多い。しかし、映像記録再生装置でコンテンツを購入する場合には、購入履歴や課金が映像記録再生装置単位となってしまい、利用者毎の購入履歴や課金を実現することは難しかった。
【０００４】
また、利用者毎の課金を実現できる携帯電話機を用いてコンテンツ購入を実現するシステムの提案がある（例えば、特許文献１及び２参照）。
【先行技術文献】
【特許文献】
【０００５】
【特許文献１】特開２００７−２７９９６３号公報
【特許文献２】特開２００６−８５７３８号公報
【発明の概要】
【発明が解決しようとする課題】
【０００６】
しかしながら、特許文献１に記載のシステムにおいては、携帯電話機（携帯再生装置）による多くの操作が必要であり、コンテンツ購入のための操作は依然として複雑であるという問題があった。
【０００７】
また、特許文献２に記載のシステムにおいては、購入したコンテンツは携帯電話機（携帯通信端末装置）にダウンロードされ、映像記録再生装置によるコンテンツ購入には対応していない。
【０００８】
そこで、本発明は、上記従来技術の課題を解決するためになされたものであり、その目的は、利用者毎の課金が実現でき、サーバからの情報の提供を簡単な操作で実現できる情報処理方法及び情報処理システム、並びに情報処理システムにおける映像記録再生装置を提供することにある。
【課題を解決するための手段】
【０００９】
本発明に係る情報処理方法は、自身に固有のサーバ固有識別情報を記憶するサーバと、自身に固有の端末固有識別情報を記憶し、前記サーバと携帯電話網を経由して通信可能な携帯通信端末と、自身に固有の映像機器固有識別情報を記憶し、前記サーバとネットワークを経由して通信可能であり且つ前記携帯通信端末と通信可能な映像記録再生装置とを有するシステムにおける、情報処理方法であって、前記携帯通信端末が、自身の端末固有識別情報を、前記映像記録再生装置が受信可能な方式で前記映像記録再生装置に送るステップと、前記映像記録再生装置が、受信した前記端末固有識別情報を記憶するステップと、前記映像記録再生装置が、前記映像機器固有識別情報と前記端末固有識別情報を、ネットワークを経由して前記サーバに送信するステップと、前記サーバが、前記映像記録再生装置から受信した前記映像機器固有識別情報及び前記端末固有識別情報を記憶するステップとを有することを特徴とする。
【００１０】
また、本発明に係る情報処理システムは、自身に固有のサーバ固有識別情報を記憶するサーバと、自身に固有の端末固有識別情報を記憶し、前記サーバと携帯電話網を経由して通信可能な携帯通信端末と、自身に固有の映像機器固有識別情報を記憶し、前記サーバとネットワークを経由して通信可能であり且つ前記携帯通信端末と通信可能な映像記録再生装置とを有する情報処理システムであって、前記携帯通信端末が、自身の端末固有識別情報を、前記映像記録再生装置が受信可能な方式で前記映像記録再生装置に送る近接通信手段を有し、前記映像記録再生装置が、受信した前記端末固有識別情報を記憶する記憶手段と、前記映像機器固有識別情報と前記端末固有識別情報を、ネットワークを経由して前記サーバに送信するネットワーク通信手段とを有し、前記サーバが、前記映像記録再生装置から受信した前記映像機器固有識別情報及び前記端末固有識別情報を記憶する記憶手段を有することを特徴とする。
【発明の効果】
【００１１】
本発明に係る情報処理方法又は情報処理システムによれば、このシステムを構成する各機器の固有識別情報を関連付けた関連付け情報を記憶して、携帯通信端末の課金及び認証の仕組みをシステム全体で利用できるようにしているので、コンテンツ購入や再生許可などのための操作を簡単にすることができる。また、本発明に係る映像記録再生装置によれば上記情報処理方法又は情報処理システムを実現可能になるので、コンテンツ購入や再生許可などのための操作を簡単にすることができる。
【図面の簡単な説明】
【００１２】
【図１】本発明の実施の形態１に係る情報処理方法を実施するためのシステムの構成を概略的に示すネットワーク図である。
【図２】図１に示される映像記録再生装置の構成の一例を概略的に示すブロック図である。
【図３】図１に示される携帯通信端末の構成の一例を概略的に示すブロック図である。
【図４】図１に示されるサーバの構成の一例を概略的に示すブロック図である。
【図５】（ａ）乃至（ｃ）は、携帯通信端末と映像記録再生装置との間の情報の送受信を示すシーケンス図であり、同図（ａ）は、携帯通信端末と映像記録再生装置へ情報を送信する場合、同図（ｂ）は、映像記録再生装置から携帯通信端末へ情報を送信する場合、同図（ｃ）は、携帯通信端末と映像記録再生装置との間で情報交換を行う場合を示す。
【図６】（ａ）及び（ｂ）は、図５（ａ）乃至（ｃ）の通信によって映像記録再生装置及び携帯通信端末のそれぞれに格納される関連付け情報の一例を示す図である。
【図７】（ａ）及び（ｂ）は、携帯通信端末、映像記録再生装置、及びサーバ間の情報交換を示すシーケンス図であり、同図（ａ）は、利用者による携帯通信端末の操作により実行される処理であり、同図（ｂ）は、利用者による映像記録再生装置の操作により実行される処理である。
【図８】（ａ）乃至（ｃ）は、図７（ｂ）及び（ｃ）の通信によって映像記録再生装置、携帯通信端末、及びサーバのそれぞれに格納される関連付け情報の一例を示す図である。
【図９】本発明の実施の形態２に係る情報処理方法（コンテンツ購入及び再生時）の一例を示すシーケンス図である。
【図１０】本発明の実施の形態３に係る情報処理方法（再生時）の一例を示すシーケンス図である。
【図１１】本発明の実施の形態３に係る情報処理方法（再生時）の他の例を示すシーケンス図である。
【図１２】本発明の実施の形態４に係る情報処理方法を実施するためのシステムを概略的に示すネットワーク図である。
【図１３】実施の形態４に係る情報処理方法（コンテンツ購入及び再生時）の一例を示すシーケンス図である。
【図１４】本発明の実施の形態５に係る情報処理方法（コンテンツ購入及び再生時）の一例を示すシーケンス図である。
【図１５】本発明の実施の形態６に係る情報処理方法（コンテンツ購入及び再生時）の一例を示すシーケンス図である。
【図１６】本発明の実施の形態７に係る情報処理方法（コンテンツ購入及び再生時）の一例を示すシーケンス図である。
【図１７】本発明の実施の形態８に係る情報処理方法（コンテンツ購入及び再生時）の一例を示すシーケンス図である。
【図１８】本発明の実施の形態９に係る情報処理方法を実施するためのシステムを概略的に示すネットワーク図である。
【図１９】実施の形態９に係る情報処理方法（再生時）の一例を示すシーケンス図である。
【図２０】本発明の実施の形態１０に係る情報処理方法を実施するためのシステムを概略的に示すネットワーク図である。
【図２１】実施の形態１０に係る情報処理方法（再生時）の一例を示すシーケンス図である。
【図２２】本発明の実施の形態１１に係る情報処理方法を実施するためのシステムを概略的に示すネットワーク図である。
【図２３】実施の形態１１に係る情報処理方法を実施するための映像記録再生装置の構成を示す図である。
【図２４】実施の形態１１に係る情報処理方法における誤り訂正レベルの変更処理の一例を示す図である。
【図２５】実施の形態１１に係る情報処理方法におけるバーコードのサイズ変更処理の一例を示す図である。
【図２６】実施の形態１１に係る情報処理方法の一例を示すフローチャートである。
【発明を実施するための形態】
【００１３】
実施の形態１．
図１は、本発明の実施の形態１に係る情報処理方法を実施するためのシステム（情報処理システム）の構成を概略的に示すネットワーク図である。図１に示されるシステムは、映像記録再生装置１と、携帯通信端末２と、コンテンツプロバイダのサーバ３とを主要な構成としている。図１には、映像記録再生装置１、携帯通信端末２、及びサーバ３の相互間で、情報の送受信が可能であることが示されている。図１においては、一例として、映像記録再生装置１から携帯通信端末２への情報の送信は、バーコード１１の表示とその撮影により実現され、携帯通信端末２から映像記録再生装置１への情報の送信は、赤外線信号ＩＲの送受信により実現される場合が示されている。また、映像記録再生装置１とサーバ３との間の情報の送受信は、インターネット４などのネットワークを経由して実現され、携帯通信端末２とサーバ３との間の情報の送受信は、携帯電話網５及びインターネット４などのネットワークを経由して実現される。
【００１４】
映像記録再生装置１は、例えば、ＨＤＤレコーダ、光ディスクレコーダ、磁気テープレコーダなどであるが、他の記録方式を採用する装置であってもよい。また、図１には、映像記録再生装置１が表示装置１ａと一体に形成された形態を示しているが、表示装置１ａは、映像記録再生装置１にケーブルなどで接続された別個の装置（例えば、テレビ）であってもよい。図１に示されるように、映像記録再生装置１は、携帯通信端末２からの情報を受信するため、携帯通信端末２から送信される赤外線信号ＩＲを受信する手段（近接通信インタフェース１０１、例えば、赤外線受信部である。）を備えている。また、映像記録再生装置１は、携帯通信端末２に情報を送信するための手段として、表示装置１ａに、バー（黒部分）とスペース（白部分）の組合せにより、数字や文字などの情報を読み取り可能に表現したコード（一次元コード、二次元コード、立体コードなどを含み、本願においては「バーコード」と言う。）１１を表示させる手段（後述する図２のバーコード生成部１０６）を備えている。また、映像記録再生装置１は、インターネット４を経由してサーバ３と通信を行うための手段（後述する図２のネットワークインタフェース１０７）を備えている。
【００１５】
携帯通信端末２は、例えば、携帯電話会社と課金に関する契約がなされており、携帯通信端末２の操作によりインターネット４上のコンテンツプロバイダであるサーバ３からのコンテンツの購入契約をすることができ、携帯通信端末２の利用者（契約者）がコンテンツプロバイダから購入したコンテンツの代金を携帯電話会社に支払う課金システムが確立されている。携帯通信端末２は、赤外線通信手段（後述する図３の赤外線信号送受信部２０７）とバーコード読み取り手段（後述する図３のバーコード撮影可能なカメラ部２０８と撮影されたバーコードの情報を解読するバーコード解読部２０９）とを備えた携帯電話機である。携帯通信端末２としては、現在市販されている一般的な携帯電話機を使用することが可能である。携帯通信端末２は、携帯電話網５を経由して携帯電話会社の基地局に接続され、この基地局を経由してサーバ３が備えられているインターネット４に接続される。なお、図１には、携帯通信端末２から映像記録再生装置１への情報の送信を赤外線信号ＩＲにより行い、映像記録再生装置１から携帯通信端末２への情報の送信を表示装置１ａにおけるバーコード１１の表示及び携帯通信端末２による読み取りにより行う場合を例示したが、映像記録再生装置１と携帯通信端末２との間の通信は、上述した方式以外の近距離通信方式、例えば、赤外線を用いた双方向通信、近距離無線通信、無線ＩＣタグのような電磁誘導を用いる通信などのような他の方式の通信であってもよい。
【００１６】
サーバ３は、コンテンツプロバイダのサーバであり、インターネット４を経由して映像記録再生装置１と相互に通信可能に構成されている。また、サーバ３は、インターネット４及び携帯電話網５を経由して携帯通信端末２と相互に通信可能に構成されている。
【００１７】
図２は、図１に示される映像記録再生装置１の構成の一例を概略的に示すブロック図である。図２に示されるように、映像記録再生装置１は、赤外線受信部などの近接通信インタフェース１０１と、認証情報登録部１０３と、認証情報確認部１０４と、自己の固有識別情報（映像機器固有識別情報）及び他の機器の固有識別情報などを記憶する不揮発性メモリ１０５と、バーコード生成部１０６と、ネットワークインタフェース１０７と、ダウンロード制御部１０８と、データ格納部１０９と、再生制御部１１０と、暗号復号部１１１と、デコーダ１１２と、画像出力部１１３と、操作部１１５とを主要な構成としている。図２に示される各構成は、それぞれ物理的又は論理的にバス１１４で接続されている。近接通信インタフェース１０１は赤外線通信方式に対応した近接通信インタフェースであるが、無線又は電磁誘導などの他の通信方式を利用する場合は、それぞれに対応した近接通信インタフェースを用いる。
【００１８】
図３は、図１に示される携帯通信端末２の構成の一例を概略的に示すブロック図である。図３に示されるように、携帯通信端末２は、無線通信のための送受信部２０１及びアンテナ２０２と、映像を表示する表示部２０３と、記憶部としての不揮発性メモリ２０４と、通話を行うための通話部２０５と、操作を行うための操作部２０６と、赤外線信号送受信部２０７と、表示装置１ａの画面に表示されたバーコードをカメラ撮影することができるカメラ部２０８と、カメラ部２０８で撮影したバーコードを解読するバーコード解読部２０９と、装置全体を制御する制御部２１０と、自己の固有識別情報（端末固有識別情報）を記憶する認証情報記憶部２１１と、各構成が接続されたバス２１２とを主要な構成としている。赤外線信号送受信部２０７は、無線又は電磁誘導などの他の通信方式を利用する場合は、それぞれに対応したインタフェースとなる。
【００１９】
図４は、図１に示されるサーバ３の構成の一例を概略的に示すブロック図である。図４に示されるように、サーバ３は、ダウンロードするコンテンツを格納するコンテンツデータベース３０１と、携帯通信端末の利用者との契約に関する情報を格納する顧客・契約データベース３０２と、コンテンツデータベース３０１の内容を検索するページ情報を格納し、インターネット経由で提供するコンテンツ検索ページ３０３と、コンテンツ購入に関する情報を格納し、インターネット経由で提供するコンテンツ購入ページ３０４と、認証サービス部３０５と、Ｗｅｂサーバ３０６と、ダウンロード・ストリーミングサーバ３０７と、ネットワークインタフェース３０８とを主要な構成としている。また、サーバ３は、自身の固有識別情報（サーバ固有識別情報）を図示しない記憶部に記憶している。顧客・契約データベース３０２には、例えば、顧客の識別子、課金方式と課金手続きに必要な情報、購入契約済みコンテンツのリスト、それぞれのコンテンツを再生するために必要な認証情報などが格納されている。
【００２０】
携帯通信端末２の端末固有識別情報を映像記録再生装置１に送信する場合には、携帯通信端末２は、赤外線送受信部２０７から端末固有識別情報を赤外線信号として映像記録再生装置１の近接通信インタフェース１０１に送信する。映像記録再生装置１の認証情報登録部１０３は、近接通信インタフェース１０１で受信した信号から携帯通信端末２の端末固有識別情報を取り出して、不揮発性メモリ１０５に記録する。
【００２１】
利用者によってコンテンツのダウンロードが指示された映像記録再生装置１は、ダウンロード制御部１０８がネットワークインタフェース１０７を通じてサーバ３からコンテンツのダウンロード動作を行い、ダウンロードされたコンテンツをデータ格納部１０９に記録する。
【００２２】
映像記録再生装置１が再生時に認証が必要なコンテンツを再生するときには、例えば、再生制御部１１０が認証情報確認部１０４を通じてコンテンツに対応した認証情報が不揮発性メモリ１０５に格納されているかどうかを確認し、対応する認証情報が確認できた場合には、暗号を復号するための鍵を取得して暗号復号部１１１に渡し、暗号復号部１１１が、鍵を用いて復号したストリームデータをデコーダ１１２に供給し、ストリームデータが画像出力部１１３を通じて映像信号として表示装置１ａに出力される。
【００２３】
映像記録再生装置１から携帯通信端末２へのデータ送信が必要な場合、例えば、再生時にコンテンツに対応する認証情報がまだ得られていない場合には、映像記録再生装置１は、自身の固有識別情報（映像機器固有識別情報）とコンテンツの識別情報であるコンテンツ識別子とを組み合わせてバーコード生成部１０６でバーコードを作成し、画像出力部１１３を通じて表示装置１ａにバーコード１１を表示させる。利用者が、このバーコードを携帯通信端末２のカメラ部２０８で読み取り、コンテンツプロバイダに送信して新しく認証情報を得ることができる。
【００２４】
利用者がコンテンツの検索を行う場合には、利用者は、携帯通信端末２をサーバ３に接続させる。そして、サーバ３のＷｅｂサーバ３０６は、携帯通信端末２との接続を受け付け、利用者が携帯通信端末２でコンテンツを検索できるように、コンテンツ検索ページ３０３の情報を携帯通信端末２に提供する。コンテンツ検索ページ３０３の情報は、通常、複数のページと動的生成ページを組み合わせた情報として構成されており、コンテンツデータベース３０１に登録されているコンテンツ情報を利用者に提供するために、携帯通信端末２を用いて好みのコンテンツを検索できるように作られている。利用者７が購入希望コンテンツを決定し、携帯通信端末２により購入希望コンテンツの選択操作を行うと、選択情報はサーバ３のコンテンツ購入ページ３０４へ送られ、顧客・契約データベース３０２及びコンテンツ購入ページ３０４の情報を用いて、コンテンツの購入手続きや利用者の新規登録などの手続が行われる。
【００２５】
再生時に認証が必要なコンテンツを再生するときには、例えば、映像記録再生装置１がネットワークインタフェース３０８を通してダウンロード・ストリーミングサーバ３０７に接続し、映像記録再生装置１がダウンロード又はストリーミング再生の要求を行う。サーバ３の認証サービス部３０５は、それぞれの要求に対して契約情報とコンテンツの属性を確認し、その結果に応じて、ダウンロード・ストリーミングサーバ３０７はコンテンツデータなどを要求元の映像記録再生装置１に送信する。
【００２６】
図５（ａ）乃至（ｃ）は、映像記録再生装置１と携帯通信端末２との間の情報の送受信を示すシーケンス図であり、同図（ａ）は、携帯通信端末２から映像記録再生装置１に情報を送る場合、同図（ｂ）は、映像記録再生装置１から携帯通信端末２に情報を送る場合、同図（ｃ）は、携帯通信端末２と映像記録再生装置１との間で情報交換を行う場合を示す。
【００２７】
図５（ａ）に示されるように、携帯通信端末２から映像記録再生装置１へ情報を送るときに、利用者７が携帯通信端末２を操作して、携帯通信端末２の端末固有識別情報の送信指示を入力すると（ステップＳ１０１）、携帯通信端末２は、機器に固有の固有識別子、契約者の識別子、ネットワークアドレスなどの情報を含む端末固有識別情報を作成し、赤外線信号のコードを生成して、赤外線信号ＩＲとして映像記録再生装置１に送信する（ステップＳ１０２）。赤外線信号を受信した映像記録再生装置１は、赤外線信号を復号して、受信した情報から携帯通信端末２に固有の固有識別子、契約者の識別子、ネットワークアドレスなどの端末固有識別情報を取り出し、映像記録再生装置１の不揮発性メモリ１０５に、自身の固有識別情報（映像機器固有識別情報）と関連付けされた関連付け情報として保存する。保存された関連付け情報は、例えば、後述する図６（ａ）に示されるような情報を含む。このとき、携帯通信端末２は、公開鍵方式を使用して、端末固有識別情報に、公開鍵や証明書を含めて送付することもできる。携帯通信端末２から映像記録再生装置１に端末固有識別情報を送信し、映像記録再生装置１が携帯通信端末２の端末固有識別情報を保存した後は、携帯通信端末２から映像記録再生装置１に情報送信を行う際に、自身の機器固有識別情報に加えて携帯通信端末２の端末固有識別情報（例えば、機器に固有の端末固有識別子）を含む情報を送信することによって、映像記録再生装置１は、送信元が携帯通信端末２と同一の個体であることを確認することができる。
【００２８】
図５（ｂ）に示されるように、映像記録再生装置１から携帯通信端末２へ情報を送信するときに、利用者７が映像記録再生装置１の操作部（図２の操作部１１５）、例えば、リモコンを操作して映像記録再生装置１に固有の映像機器固有識別情報の送信指示を入力すると（ステップＳ１１１）、映像記録再生装置１は機器に固有の固有識別子などを含む映像機器固有識別情報を作成し、画像として読み取り可能なバーコード１１に変換し、表示装置１ａの画面に表示する（ステップＳ１１２）。バーコード１１は、ＪＩＳ規格として規定されたＱＲコード、ＩＳＯ（国際標準化機構）などで規定されたデータ・マトリクス（ＤａｔａＭａｔｒｉｘ）などの画像として読み取り可能なコードであって、携帯通信端末２が読み取り可能なコードであればよい。次に、利用者７の操作により携帯通信端末２はバーコード読み取り機能を起動し、利用者７が映像記録再生装置１の画面に携帯通信端末２のカメラ部２０８を向けることによりバーコード１１を読み取り、映像記録再生装置１の映像機器固有識情報を取り出す。映像記録再生装置１の映像機器固有識別情報は、携帯通信端末２の記憶部（例えば、図３の不揮発性メモリ１０５）に関連付け情報として保存する。保存された関連付け情報は、例えば、後述する図６（ｂ）に示されるような情報を含む。このとき、映像記録再生装置１は、公開鍵方式を使用して、映像機器固有識別情報に、公開鍵や証明書を含めて送付することもできる。映像記録再生装置１から携帯通信端末２に映像機器固有識別情報を送信し、携帯通信端末２が映像記録再生装置１の映像機器固有識別情報を保存した後は、映像記録再生装置１から携帯通信端末２に情報送信を行う際には、映像機器固有識別情報を含めることによって、携帯通信端末２は、送信元が映像記録再生装置１の同一の個体であることを確認することができる。
【００２９】
図５（ａ）及び（ｂ）の動作を併せて行うことにより相互に関連付け情報を記憶する動作を図５（ｃ）を用いて説明する。先ず、携帯通信端末２は、利用者７の操作により固有識別情報の交換指示を受けると（ステップＳ１２１）、自身の固有識別子を含む端末固有識別情報を作成し、赤外線信号のコードに変換して映像記録再生装置１に送信する（ステップＳ１２２）。赤外線信号を受け取った映像記録再生装置１は、赤外線信号を復号し、復号された信号から携帯通信端末２の端末固有識別情報を取り出し、映像記録再生装置１の不揮発性メモリ（図２の符号１０５）に保存する。次に、映像記録再生装置１は、自身の機器の固有識別子を含む映像機器固有識別情報を作成し、バーコード１１に変換し、映像記録再生装置１に接続されている表示装置１ａの画面に表示する（ステップＳ１２３）。バーコード１１が画面に表示されたことを確認した利用者７は、携帯通信端末２のカメラ部（図３の符号２０８）を表示装置１ａの画面に向け（ステップＳ１２４）、バーコード読み取り機能によりバーコード１１を読み取り（ステップＳ１２５）、映像記録再生装置１の映像機器固有識別情報を取得する。映像記録再生装置１の映像機器固有識別情報は、携帯通信端末２の不揮発性メモリ（図３の符号２０４）に関連付け情報として保存される。このような動作により、映像記録再生装置１と携帯通信端末２とは相互に固有識別情報を交換することができ、以降の通信においては、受信した固有識別情報を、記憶している関連付け情報と照会することにより、通信相手を確認することができる。
【００３０】
図６（ａ）及び（ｂ）は、固有識別情報の交換後における映像記録再生装置１の不揮発性メモリ１０５と携帯通信端末２の不揮発性メモリ２０４に格納される関連付け情報の一例を示す図である。ここで、「関連付け情報」とは、信頼関係にある他の機器を特定及び確認するために使用する情報であって、各機器の固有識別情報を含む情報である。各機器の固有識別情報としては、例えば、機器の固有識別子、契約者の識別子、ネットワークアドレス、公的認証書、又は、それらの組み合わせで構成された情報などがある。また、「固有識別情報」とは、機器（映像記録再生装置１、携帯通信端末２）の製造番号やネットワークハードウェア識別子などのように機器ごとに割り当てられた、機器の個体を識別できる情報である。図６（ａ）に示されるように、映像記録再生装置１の不揮発性メモリ１０５は、関連付け情報として、自身の映像機器固有識別情報である「映像記録再生装置ＩＤ」と、複数の携帯通信端末の端末固有識別情報である「携帯通信端末ＩＤ−１」、「携帯通信端末ＩＤ−２」、「携帯通信端末ＩＤ−３」などを保持している。また、図６（ｂ）に示されるように、携帯通信端末２の不揮発性メモリ２０４は、自身の携帯通信端末の端末固有識別情報である「携帯通信端末ＩＤ」と、複数の映像記録再生装置の映像機器固有識別情報である「映像記録再生装置ＩＤ−１」、「映像記録再生装置ＩＤ−２」、「映像記録再生装置ＩＤ−３」などを保持している。
【００３１】
図７（ａ）は、利用者７による携帯通信端末２の操作により行われる映像記録再生装置１、携帯通信端末２、及びサーバ３間の情報交換を示すシーケンス図であり、図７（ｂ）は、映像記録再生装置１の操作により行われる映像記録再生装置１、携帯通信端末２、及びサーバ２間の情報交換を示すシーケンス図である。図７（ａ）に示されるように、携帯通信端末２の操作により行われる映像記録再生装置１、携帯通信端末２、及びサーバ３間の情報交換においては、映像記録再生装置１と携帯通信端末２が同一契約者に属するものであることを確認し、映像記録再生装置１と携帯通信端末２が同一契約者に属する場合に、サーバ３上で映像記録再生装置１の映像機器固有識別情報と携帯通信端末２の端末固有識別情報を結び付ける。図７（ａ）においては、利用者７が携帯通信端末２を操作して特定のサーバ３との認証操作を行うと（ステップＳ２０１）、携帯通信端末２は、自身の端末固有識別情報と接続先であるサーバ３のＵＲＬ（Ｕｎｉｆｏｒｍ  Ｒｅｓｏｕｒｃｅ  Ｌｏｃａｔｏｒ）などを含むサーバ固有識別情報とを併せた情報を作成し、赤外線信号として映像記録再生装置１に送信する（ステップＳ２０２）。映像記録再生装置１は、受信した赤外線信号から携帯通信端末２の端末固有識別情報とサーバ３のサーバ固有識別情報、例えば、ＵＲＬを取り出し、このＵＲＬにしたがってサーバ３に接続し、携帯通信端末２の端末固有識別情報に映像記録再生装置１自身の映像機器固有識別情報を合わせた情報をサーバ３に送付する（ステップＳ２０３）。サーバ３は、受け取った映像記録再生装置１の映像機器固有識別情報と携帯通信端末２の端末固有識別情報を合わせて一時的に記憶する（ステップＳ２０４）。一方、携帯通信端末２は、並行して自身の端末固有識別情報を関連付け情報としてサーバ３に送付する（ステップＳ２０６）。
【００３２】
サーバ３は、携帯通信端末２から送られてきた端末固有識別情報をキーとして、一時的に記憶したデータを検索し、映像記録再生装置１から送られてきた映像記録再生装置１の映像機器固有識別情報と携帯通信端末２の端末固有識別情報のペアを見つけ出す（ステップＳ２０７）。この時点で、一時的に記憶した映像記録再生装置１の映像機器固有識別情報と携帯通信端末２の端末固有識別情報のペアが、実在する携帯通信端末２と関連付けられたことが確認できたので、固有識別情報の組み合わせからなる関連付け情報を契約単位として、他の契約情報とともに、データベースに格納する。この時点で、サーバ３には、映像記録再生装置１、携帯通信端末２、及びサーバ３の３つの固有識別情報が関連付けられて格納されることになる。なお、関連付けをより明確にして誤動作を防止するためには、固有識別情報に公開鍵暗号化方式による証明書を含め、１回の関連付け操作ごとに変化する操作識別子を作成して固有識別情報と組み合わせて使用する。
【００３３】
次に、ステップＳ２０６，Ｓ２０７の処理に移行する。ただし、契約管理の観点からは必ずしもすべての機器が互いの固有識別情報を保持しておく必要はないので、ステップＳ２０６〜Ｓ２０８の処理は省略される場合もある。携帯通信端末２が自身の端末固有識別情報をサーバ３に送付した後（ステップＳ２０６）、サーバ３は、固有識別情報を関連付けして記憶し、その後、対応する映像記録再生装置２の映像機器固有識別情報を取り出し、サーバ３自身のサーバ固有識別情報とともに携帯通信端末２へ送信する（ステップＳ２０８）。携帯通信端末２は、サーバ３から受信したサーバ固有識別情報と映像機器固有識別情報とを、関連付け確認済みの情報である映像機器固有識別情報及びサーバ固有識別情報として記録する。
【００３４】
以上の情報処理方法又は情報処理システムによれば、サーバ３が映像記録再生装置１の映像機器固有識別情報と携帯通信端末２の端末固有識別情報とサーバ３のサーバ固有識別情報とを関連付けした後に、映像記録再生装置１がサーバ３からこの情報を取得することによって、映像記録再生装置１は、サーバ３から関連付け完了後の固有識別情報のセットとサーバ３のＵＲＬを含む情報を入手することができ、これを関連付け情報として記憶することができる。この処理は、図７（ａ）のステップＳ２０５の処理であり、サーバ３側で関連付け完了まで処理を保留し、保留解除後に、関連付け済みの固有識別子情報を映像記録再生装置１に送付することができる。なお、映像記録再生装置１による携帯通信端末２の端末固有識別情報についての確認を必要としないシステムの場合には、図７（ａ）のステップＳ２０５の処理において、映像記録再生装置１にサーバ３のサーバ固有識別情報を返すことによって、映像記録再生装置１は、自身の映像機器固有識別情報、携帯通信端末２の端末固有識別情報（ステップＳ２０２で受信した情報）、サーバ３の固有識別子及びＵＲＬなどのサーバ固有識別情報を記憶することができる。以上の手順により、映像記録再生装置１、携帯通信端末２、及びサーバ３は、互いに相手の固体を特定する固有識別情報を交換することができる。
【００３５】
また、映像記録再生装置１が表示装置１ａにバーコードを表示させる機能を持ち、携帯通信端末２が、バーコード読み取り機能を持つ場合には、別の方法により固有識別情報を交換することができる。先ず、図７（ｂ）に示されるように、利用者７の映像記録再生装置１の操作により映像記録再生装置１の映像機器固有識別情報の送信指示（ＵＲＬ情報を含む）を行うと（ステップＳ２１１）、映像記録再生装置１は、自身の映像機器固有識別情報、ＵＲＬなどの接続先情報を含んだ送信用データを作成し、バーコードデータを作成して画面上に表示を行う（ステップＳ２１２）。次に、利用者７は携帯通信端末２を操作してバーコード読み取り機能を起動し（ステップＳ２１３）、携帯通信端末２に表示装置１ａの画面に表示されたバーコード１１を読み取らせる（ステップＳ２１４）。
【００３６】
携帯通信端末２はバーコード１１を読み取った後、バーコード１１に記載されたＵＲＬなどの接続情報を用いてサーバ３に接続し、映像記録再生装置１の映像機器固有識別情報と携帯通信端末２自身の端末固有識別情報を送信する（ステップＳ２１５）。サーバ３は映像記録再生装置１の映像機器固有識別情報と携帯通信端末２の端末固有識別情報を合わせて一時的に記憶する（ステップＳ２１６）。
【００３７】
また、映像記録再生装置１はサーバ３に接続して通信し、自身の映像機器固有識別情報をサーバ３に送付する（ステップＳ２１８）。サーバ３は、送られてきた映像記録再生装置１の映像機器固有識別情報を一時的に記憶する。サーバ３は、映像記録再生装置１の映像機器固有識別情報をキーとして検索を行い、携帯通信端末２から送られてきた、映像記録再生装置１の映像機器固有識別情報と携帯通信端末２の端末固有識別情報のペアを取り出す（ステップＳ２１９）。ここで、携帯通信端末２から送られてきた、映像記録再生装置１の映像機器固有識別情報と携帯通信端末２の端末固有識別情報のペアと、実在する映像記録再生装置１から送られてきた映像機器固有識別情報との関連を確認し、確認できた場合に、映像記録再生装置１の映像機器固有識別情報と携帯通信端末２の端末固有識別情報の組み合わせを契約単位として他の契約情報とともにデータベースに格納する。この時点で、サーバ３には映像記録再生装置１、携帯通信端末２、及びサーバ３の３つの固有識別情報が関連付けられて関連付け情報として格納されることになる。なお、関連付けをより明確にして誤動作を防止するためは、固有識別情報に公開鍵暗号化方式による証明書を含め、１回の関連付け操作ごとに変化する操作識別子を作成して、固有識別情報と組み合わせて使用することもできる。
【００３８】
なお、関連付けが完了した固有識別情報の組み合わせは、ステップＳ２１５のリターンであるステップＳ２１７、ステップＳ２１８のリターンであるステップＳ２２０で、サーバ３から映像記録再生装置１及び携帯通信端末２に取り込まれる。また、関連付けが完了した固有識別情報の組み合わせの、映像記録再生装置１及び携帯通信端末２による取り込みは、後のデータ取得の通信の際に、サーバ３から映像記録再生装置１及び携帯通信端末２に取り込むこともできる。
【００３９】
以上の情報処理方法又は情報処理システムによれば、サーバ３が映像記録再生装置１の映像機器固有識別情報と携帯通信端末２の端末固有識別情報とサーバ３のサーバ固有識別情報とを関連付けした後に、映像記録再生装置１及び携帯通信端末２がサーバ３からこの情報を取得することによって、映像記録再生装置１又は携帯通信端末２は、サーバ３から関連付け完了後の固有識別情報のセットとサーバ３のＵＲＬを含む情報を入手することができ、これを関連付け情報として記憶することができる。以上の手順により、映像記録再生装置１、携帯通信端末２、及びサーバ３は互いに相手の固体を特定する固有識別情報を交換することができる。
【００４０】
図８（ａ）乃至（ｃ）は、図７（ａ）及び（ｂ）に示す固有識別情報の交換後における映像記録再生装置１の不揮発性メモリ（図２の符号１０５）、携帯通信端末２の不揮発性メモリ（図３の符号２０４）、及びサーバ３の記憶部（顧客・契約データベース３０２）に格納される関連付け情報の一例を示す図である。図８（ａ）に示されるように、映像記録再生装置１が保持する関連付け情報として、自身の映像機器固有識別情報である「映像記録再生装置ＩＤ」と、端末固有識別情報である「携帯通信端末ＩＤ−１」とサーバ固有識別情報である「サーバＩＤ−１」と「サーバＵＲＬ−１」の組、「携帯通信端末ＩＤ−２」と「サーバＩＤ−２」と「サーバＵＲＬ−２」の組、及び「携帯通信端末ＩＤ−３」と「サーバＩＤ−３」と「サーバＵＲＬ−３」の組などを保持している。また、図８（ｂ）に示されるように、携帯通信端末２は、自身の端末固有識別情報である「携帯通信端末ＩＤ」と、「映像記録再生装置ＩＤ−１」と「サーバＩＤ−１」と「サーバＵＲＬ−１」の組、「映像記録再生装置ＩＤ−２」と「サーバＩＤ−２」と「サーバＵＲＬ−２」の組、及び「映像記録再生装置ＩＤ−３」と「サーバＩＤ−３」と「サーバＵＲＬ−３」の組などを保持している。また、図８（ｃ）に示されるように、サーバ３は、自身のサーバ固有識別情報である「サーバＩＤ」と、「携帯通信端末ＩＤ−１」と「映像記録再生装置ＩＤ−１」の組、及び「携帯通信端末ＩＤ−２」と「映像記録再生装置ＩＤ−２」の組などを保持している。
【００４１】
以上に説明したように、実施の形態１に係る情報処理方法又は情報処理システムによれば、映像記録再生装置１が、携帯電話会社と課金契約を結んでいる携帯通信端末２の端末固有識別情報とサーバ３のサーバ固有識別情報を関連付け情報として保持し、サーバ３が、映像記録再生装置１の映像機器固有識別情報と携帯通信端末２の端末固有識別情報を関連付け情報として保持することができており、関連付けが完了している。このため、これ以降は、サーバ３は携帯通信端末２からではなく、映像記録再生装置１からのコンテンツ購入要求を課金契約のある携帯通信端末２からの購入要求であるとみなすことができる。このため、関連付け完了後は、映像記録再生装置１から、課金に関する操作を含まない簡単な操作によって、コンテンツ購入などの種々の要求をサーバ３に直接することが可能になる。
【００４２】
実施の形態２．
実施の形態２は、映像記録再生装置１、携帯通信端末２、及びサーバ３間で、実施の形態１に係る情報処理方法による固有識別情報の交換が完了した後の情報処理方法に関する。
【００４３】
図９は、本発明の実施の形態２に係る情報処理方法の一例を示すシーケンス図である。前提条件として映像記録再生装置１、携帯通信端末２、及びサーバ３はそれぞれ関連付け情報を保持しており、サーバ３は、顧客・契約データベース３０２上で、携帯通信端末２の端末固有識別情報と契約・課金情報との関連付けの処理を完了している。なお、サーバ３の顧客・契約データベース３０２は、契約者のリストとその契約者が使用する携帯通信端末２及び映像記録再生装置１を関連付ける関連付け情報、料金の支払い方法と請求先、契約者が購入したコンテンツのリストと購入条件などの情報を格納している。
【００４４】
図９に示されるように、利用者７がリモコンなどの操作部（図２の符号１１５）により映像記録再生装置１を操作して（ステップＳ３０１）、映像記録再生装置１をサーバ３に接続させ（ステップＳ３０２）、サーバ３のコンテンツ検索ページ３０３の情報を映像記録再生装置１に提供させ（ステップＳ３０３）、コンテンツリストや検索結果を表示装置１ａに表示させ、興味のあるコンテンツを操作部１１５の操作により選び出す。この間、ステップＳ３０２及びＳ３０３の処理は繰り返される。利用者７がコンテンツ購入の意思を固め、映像記録再生装置１の操作部１１５の購入ボタンを押すなどの操作を行うと、映像記録再生装置１は、サーバ３に映像記録再生装置１の映像機器固有識別情報を送信する。なお、映像機器固有識別情報の送信は、購入意思決定の操作より前に実行されてもよい。また、サーバ３は、このときの取引を特定するためにトランザクション識別子を作成して映像記録再生装置１に返してもよい。サーバ３は、受け取った映像記録再生装置１の映像機器固有識別情報を検索し、契約済みの携帯通信端末２と関連付けられていることを確認し、購入確定のためのＷｅｂページを作成する（ステップＳ３０４）。
【００４５】
また、映像記録再生装置１は、自身の映像機器固有識別情報とサーバ３のＵＲＬなどの接続情報を含むサーバ固有識別情報から送信用データを作成し、バーコード生成部１０６でバーコード１１を作成し画像出力部１１３を通じて表示装置１ａの画面に表示させる（ステップＳ３０５）。利用者７は、携帯通信端末２を操作して（ステップＳ３０６）、映像記録再生装置１に備えられた表示装置１ａの画面に表示されたバーコード１１を読み取らせる（ステップＳ３０７）。携帯通信端末２は、バーコード１１の画像からデータ化を行い、そこに含まれるＵＲＬなどの接続情報、映像記録再生装置１の映像機器固有識別情報を取り出す。携帯通信端末２は、ＵＲＬなどの接続情報を用いてサーバ３に接続し、サーバ３に、映像記録再生装置１の映像機器固有識別情報と併せて携帯通信端末２の端末固有識別情報を送付する（ステップＳ３０８）。
【００４６】
サーバ３は、映像記録再生装置１の映像機器固有識別情報と携帯通信端末２の端末固有識別情報から、購入確定のためのＷｅｂページへ誘導し、携帯通信端末２に送って表示する（ステップＳ３０９）。なお、上記説明では購入確定のためのＷｅｂページは事前に用意してある場合を述べたが、購入確定のためのＷｅｂページをステップＳ３０８におけるデータを受け取ってから作成してもよい。利用者７が携帯通信端末２を操作して購入意思の確認を行うと（ステップＳ３１０）、コンテンツ購入契約が成立し、サーバ３の顧客・契約データベース３０２に、購入契約情報が記録される（ステップＳ３１１）。
【００４７】
映像記録再生装置１は、自身の映像機器固有識別情報とダウンロード対象コンテンツのコンテンツ識別子を用いて、サーバ３のダウンロード・ストリーミングサーバ３０７に対して接続を試みる（ステップＳ３１２）。ダウンロード対象コンテンツが契約成立前のときには、サーバ３の認証サービス部３０５により認証されないので、ダウンロードを開始することができない。このような場合、映像記録再生装置１は、タイマー機能などを使い、繰り返し接続を試みる。また、サーバ３のダウンロード・ストリーミングサーバ３０７が、ネットワーク通信の切断を保留し、認証されるまで映像記録再生装置１を待たせてもよい。
【００４８】
コンテンツ購入契約が成立し、サーバ３の顧客・契約データベース３０２に購入契約情報が記録されると、サーバ３は、映像記録再生装置１からの接続要求（ステップＳ３１２）に対して認証を行い、ダウンロードが開始される（ステップＳ３１３）。ダウンロードされたコンテンツデータは、映像記録再生装置１のデータ格納部１０９、例えば、ハードディスクなどの記憶装置に記録される。ダウンロードが完了したコンテンツデータの量が、通信速度やダウンロードの残りデータ量に応じて決まる所定の割合に達した場合には、ダウンロード完了前であっても、再生を開始することができる（ステップＳ３１４）。また、状況に応じて、すべてのコンテンツデータのダウンロード完了後に再生を行ってもよい。
【００４９】
以上に説明したように、実施の形態２に係る情報処理方法又は情報処理システムによれば、映像記録再生装置１の映像機器固有識別情報、携帯通信端末２の端末固有識別情報、サーバ３の固有識別情報（固有識別子とＵＲＬなど）を関連付けた関連付け情報を、映像記録再生装置１及びサーバ３のそれぞれが記憶することにより、携帯通信端末２で登録されている契約情報を映像記録再生装置１で利用するなど、契約情報の自由な運用が可能となる。
【００５０】
なお、上記説明においては、携帯通信端末２によりサーバ３に確認情報の送付を行ったが、固有識別情報を交換する際に公開鍵方式を利用した認証を行うなど、固有識別情報の取り扱いについての信頼性が確保できる場合には、携帯通信端末２による確認は必ずしも必要ない。この場合には、サーバ３は、事前に関連付けを行い登録された映像記録再生装置１の映像機器固有識別情報と携帯通信端末２の端末固有識別情報とを用いて、映像記録再生装置１に対応する携帯通信端末２を特定し、この携帯通信端末２における購入契約であることを認定することもできる。
【００５１】
実施の形態３．
実施の形態３は、映像記録再生装置１、携帯通信端末２、及びサーバ３間で、実施の形態１に係る情報処理方法による固有識別情報の交換が完了した後の情報処理方法に関する。
【００５２】
図１０は、本発明の実施の形態３に係る情報処理方法の一例を示すシーケンス図である。ここでは、実施の形態２に係る情報処理方法により、映像記録再生装置１にダウンロードされたコンテンツの再生について説明する。ダウンロード済みコンテンツが再生時のコンテンツ保護がなされておらず、自由に再生可能なコンテンツである場合には、映像記録再生装置１の通常の操作により再生可能である。実施の形態３においては、ダウンロードされたコンテンツに再生時の保護がなされており、再生時の認証が必要な場合を説明する。
【００５３】
図１０には、利用者７が、映像記録再生装置１を操作して再生を行う場合の処理が示されている。ここでは、映像記録再生装置１及びサーバ３には確認済みの関連付け情報が既に格納されている場合を説明する。図１０に示されるように、利用者７が、映像記録再生装置１の操作部１１５を操作して、映像記録再生装置１にダウンロード済みのコンテンツリストからコンテンツを選択し、再生操作を行う（ステップＳ３２１）。映像記録再生装置は、コンテンツ購入元であるサーバ３のＵＲＬなど接続情報からサーバ３に接続し、コンテンツ識別子、映像記録再生装置１の映像機器固有識別情報、映像記録再生装置１に格納されていた関連付け確認済みの携帯通信端末２の端末固有識別情報をサーバ３に送信して認証を依頼する（ステップＳ３２２）。
【００５４】
サーバ３は、顧客・契約データベース３０２を検索し、コンテンツ識別子、携帯通信端末２の端末固有識別情報、及び映像記録再生装置１の映像機器固有識別情報などの関連付け情報に矛盾が無いかを確認する。サーバ３は、矛盾が無い場合には認証を行い、暗号解除鍵などのような再生に必要な情報を、映像記録再生装置１に返す（ステップＳ３２３）。映像記録再生装置１は、サーバ３から取得した情報を用いて、コンテンツの再生を開始する（ステップＳ３２１）。
【００５５】
このように、契約情報が携帯通信端末２と関連付けられている場合であって、予め映像記録再生装置１と携帯通信端末２との関係がサーバ３に関連付け情報として記録されているので、携帯通信端末２を用いずに、映像記録再生装置１のみの操作及び接続によって認証が必要なコンテンツの再生時の認証を受けることができる。
【００５６】
また、携帯通信端末２で再生操作を行うこともできる。図１１は、本発明の実施の形態３に係る情報処理方法の他の例を示すシーケンス図である。図１１に示されるように、利用者７は、携帯通信端末２を操作して、購入契約済みコンテンツリストから再生を希望するコンテンツを選択する（ステップＳ３３１）。携帯通信端末２は、赤外線通信のコードを生成して映像記録再生装置１にコンテンツを指定して再生指示を送信するとともに（ステップＳ３３２）、サーバ３に対してコンテンツ識別子と自身の端末固有識別情報を指定して再生許可依頼を送信する。携帯通信端末２から再生指示を受信した映像記録再生装置１は、自身の映像機器固有識別情報と、再生を希望するコンテンツのコンテンツ識別子とをサーバ３に送信する。サーバ３は、顧客・契約データベース３０２を検索し、コンテンツ識別子と映像記録再生装置１の映像機器固有識別情報、携帯通信端末２の端末固有識別情報が矛盾しないことが確認されれば、認証を完了し、再生に必要な情報を映像記録再生装置１に送信する（ステップＳ３３５）。映像記録再生装置１は、サーバ３から取得した情報を使用して、再生を開始する（ステップＳ３３６）。
【００５７】
このように、携帯通信端末２で再生操作を行っても、認証が必要なコンテンツの再生を行うことができる。以上に説明したように、実施の形態３に係る情報処理方法又は情報処理システムによれば、利用者７は、再生操作を映像記録再生装置１又は携帯通信端末２のいずれの操作によっても行うことができる。
【００５８】
実施の形態４．
実施の形態４は、映像記録再生装置１、携帯通信端末２、及びサーバ３間で、実施の形態１に係る情報処理方法による固有識別情報の交換が完了した後の情報処理方法に関する。
【００５９】
図１２は、本発明の実施の形態４に係る情報処理方法を実施するためのシステムの一例を示すネットワーク図である。図１２は、外出先でコンテンツ購入を行う場合を示している。実施の形態４においては、自宅４０の映像記録再生装置１は、ルータ６を経由してインターネット４に接続されている。携帯通信端末２は、携帯電話網５を経由してインターネット４に接続されている。サーバ３は、インターネット４に接続されている。また、実施の形態４においては、携帯通信端末２は映像記録再生装置１から離れた場所、例えば、壁４０で隔てられた場所にあり、携帯通信端末２と映像記録再生装置１との間の近接通信ができない場合を説明する。
【００６０】
図１３は、実施の形態４に係る情報処理方法を示すシーケンス図である。図１３を用いて、携帯通信端末２を持って外出先にいる利用者７による、コンテンツ購入の手順を説明する。なお、実施の形態４においても、実施の形態２の場合と同様に、前提条件として映像記録再生装置１、携帯通信端末２、及びサーバ３間の固有識別情報の交換は済んでおり関連付け情報として記録されており、サーバ３上においては携帯通信端末２の端末固有識別情報と契約・課金情報との関連付けが済んでおり、サーバ３は、料金の支払い方法と請求先、契約者が購入したコンテンツのリストと購入条件などの情報を格納している。
【００６１】
図１３に示されるように、利用者７は、外出先４１で携帯通信端末２を操作して（ステップＳ４０１）サーバ３に接続し、コンテンツを購入する（ステップＳ４０２）。このとき、携帯通信端末２は、自身の端末固有識別情報をサーバ３に送信する。サーバ３は、受信した携帯通信端末２の端末固有識別情報を用いて、顧客・契約データベース３０２に、コンテンツ購入の情報を記録する（ステップＳ４０３）。サーバ３は、コンテンツ購入契約の完了を、携帯通信端末２に通知する（ステップＳ４０４）。サーバ３から購入契約の完了の通知を受けた携帯通信端末２は、購入契約済みリストとして、購入元であるサーバ３のＵＲＬなどの接続情報と、コンテンツ識別子などのコンテンツ情報とを、自身の記憶部、例えば、不揮発性メモリ２０４に記録する。
【００６２】
利用者７は、帰宅後に自宅４０で携帯通信端末２を操作して（ステップＳ４０６）、携帯通信端末２が記憶する購入契約済みリストを赤外線通信などによって映像記録再生装置１に送信する（ステップＳ４０７）。映像記録再生装置１は、受信した購入済みリストからサーバ３の接続情報を取り出してサーバ３に接続し、購入するコンテンツのコンテンツ識別子と映像記録再生装置１の映像機器固有識別情報とをサーバ３に送信する（ステップＳ４０８）。サーバ３は、映像記録再生装置１の映像機器固有識別情報とコンテンツ識別子との組み合わせを用いて顧客・契約データベース３０２を検索し、携帯通信端末２の端末固有識別情報と合わせて、購入契約済みであるか否かを確認する。サーバ３は、購入契約済みであることが確認されれば、購入契約済みのコンテンツを映像記録再生装置１にダウンロードする（ステップＳ４１０）。映像記録再生装置１は、条件が整えば、ダウンロードされたコンテンツを再生する（ステップＳ４１１）。
【００６３】
以上に説明したように、実施の形態４に係る情報処理方法又は情報処理システムによれば、外出先４１における携帯通信端末２の操作により、予めコンテンツを購入しておき、帰宅後に自宅４０で購入情報を映像記録再生装置１に赤外線通信などの近接通信によって送信するだけで、サーバ３からのコンテンツのダウンロード、及びその再生を行うことができる。
【００６４】
実施の形態５．
実施の形態５は、映像記録再生装置１、携帯通信端末２、及びサーバ３間で、実施の形態１に係る情報処理方法による固有識別情報の交換が完了した後の情報処理方法に関する。実施の形態４（図１３）の場合には、利用者７の帰宅後に、サーバ３から映像記録再生装置１へのコンテンツのダウンロードを行う場合を説明したが、実施の形態５においては、帰宅前にコンテンツのダウンロードを行う例を説明する。
【００６５】
図１４は、本発明の実施の形態５に係る情報処理方法を示すシーケンス図である。図１４を用いて、携帯通信端末２を持って外出先にいる利用者７による、コンテンツ購入、映像記録再生装置１へのダウンロードの手順を説明する。
【００６６】
図１４には、映像記録再生装置１がＩＰｖ（Ｉｎｔｅｒｎｅｔ  Ｐｒｏｔｏｃｏｌ  Ｖｅｒｓｉｏｎ）４又はＩＰｖ６のグローバルＩＰ（Ｉｎｔｅｒｎｅｔ  Ｐｒｏｔｏｃｏｌ）アドレスを固定的に割り当てられている場合の例を示す。この場合には、サーバ３の顧客・契約データベース３０の関連付け情報には、映像記録再生装置１の映像機器固有識別情報とともに、映像記録再生装置１のＩＰアドレスなどの接続情報が含まれる場合を前提とする。
【００６７】
外出先で利用者７が携帯通信端末２を操作し（ステップＳ４２１）、コンテンツの購入操作を実行する（ステップＳ４２２）。このとき携帯通信端末２の端末固有識別情報がサーバ３に送信される。サーバ３は、携帯通信端末２の端末固有識別情報を用いて顧客・契約データベース３０２を操作し、コンテンツ購入の情報を記録し（ステップＳ４２３）、購入が完了したことを携帯通信端末２に通知する（ステップＳ４２４）。
【００６８】
サーバ３は、顧客・契約データベース３０２を検索して映像記録再生機器１の接続情報を取り出し（ステップＳ４２５）、この接続情報を用いて映像記録再生装置１に接続し、コンテンツ識別子などの情報を映像記録再生装置１に送信する（ステップＳ４２６）。映像記録再生装置１は、サーバ３のＵＲＬなど接続情報を用いてサーバ３に接続し、コンテンツ識別子、映像記録再生装置１の映像機器固有識別情報などの情報をサーバ３に送信して（ステップＳ４２７）、サーバ３からコンテンツのダウンロードを実行する（ステップＳ４２８）。この例では、映像記録再生装置１がダウンロードを行う場合を説明したが、ソフトウェアの構成などにより、サーバ３から映像記録再生装置１に対してコンテンツを送付するようにしてもよい。
【００６９】
以上に説明したように、実施の形態５に係る情報処理方法又は情報処理システムによれば、ＩＰアドレスが割り当てられている映像記録再生装置１を用いて、映像記録再生装置１の映像機器固有識別情報とともにＩＰアドレスなどの接続情報をサーバ３に記録しておくことで、サーバ３から映像記録再生装置１に対して購入契約済みコンテンツを、利用者７の帰宅前に事前ダウンロードすることが可能になる。
【００７０】
実施の形態６．
実施の形態６は、映像記録再生装置１、携帯通信端末２、及びサーバ３間で、実施の形態１に係る情報処理方法による固有識別情報の交換が完了した後の情報処理方法に関する。実施の形態５（図１４）の場合には、映像記録再生装置１のＩＰアドレスを用いる場合を説明したが、実施の形態６においては、ルータ６が持っているＮＡＴ（Ｎｅｔｗｏｒｋ  Ａｄｄｒｅｓｓ  Ｔｒａｎｓｌａｔｉｏｎ）トラバーサル機能を用いる例を説明する。
【００７１】
図１５は、本発明の実施の形態６に係る情報処理方法を示すシーケンス図である。図１５を用いて、携帯通信端末２を持って外出先にいる利用者７による、コンテンツ購入、映像記録再生装置１へのダウンロードの手順を説明する。
【００７２】
図１５には、映像記録再生装置１がグローバルＩＰアドレスを割り当てられていないが、ルータ６の持つＮＡＴトラバーサル機能が使える場合の例が示されている。図１５に示されるように、映像記録再生装置１は、ルータ６に対してＮＡＴトラバーサル機能への登録依頼を行う（ステップＳ４３０）。ルータ６は、外部に向けてポートを開いており、そのポートへのアクセスを映像記録再生装置１に転送する設定を行い、ルータ６に割り当てられているグローバルＩＰアドレスとともに、設定したポートの番号を映像記録再生装置１に返信する（ステップＳ４３１）。映像記録再生装置１は、自身の映像機器固有識別情報とともに、ルータ６のグローバルＩＰアドレス、映像記録再生装置１に転送する通信を受け付けるためのポート番号をサーバ３に送付する（ステップＳ４３２）。サーバ３は、顧客・契約データベース３０２の映像記録再生装置１の映像機器固有識別情報に関連付けて、受け取ったグローバルＩＰアドレスとポート番号とを記録する（ステップＳ４３３）。サーバ３は、映像記録再生装置１に対する通信を行いたい場合に、このグローバルＩＰアドレスとポート番号を指定することにより、ルータ６を経由した通信を行うことができる。
【００７３】
通常、一般家庭で契約される安価なインターネット接続プランにおいては、固定的なグローバルＩＰアドレスが割り当てられることは無く、ルータ６に割り当てられているグローバルＩＰアドレスは時々変更される。ルータ６が自身に割り当てられているグローバルＩＰアドレスの変更を検出すると、ＮＡＴトラバーサル機能の登録情報を更新し、映像記録再生装置１に通知する（ステップＳ４３４）。更新通知を受けた映像記録再生装置１は、自身の映像機器固有識別情報とともに更新されたルータ６のグローバルＩＰアドレス、映像記録再生装置１に転送する通信を受け付けるためのポート番号を再度サーバ３に送信する（ステップＳ４３５）。サーバ３は、更新情報を受け取ると顧客・契約データベース３０２の関連付け情報を更新する（ステップＳ４３６）。なお、ステップＳ４３４〜Ｓ４３５の処理は、グローバルＩＰアドレスの変更が行われるたびに繰り返し実行され、サーバ３上の情報は常に最新のものに保たれる。
【００７４】
サーバ３が映像記録再生装置１と通信する際に使用するグローバルＩＰアドレスとポート番号の組み合わせがサーバ３上に記録されている場合には、利用者７による外出先におけるコンテンツ購入、帰宅前のダウンロードは、図１４の場合とほぼ同じ処理になる。
【００７５】
外出先で利用者７が携帯通信端末２を操作し（ステップＳ４３７）、コンテンツの購入操作を実行する（ステップＳ４３８）。このとき、携帯通信端末２の端末固有識別情報がサーバ３に送付される。サーバ３は、携帯通信端末２の端末固有識別情報を用いて顧客・契約データベース３０２を操作し、コンテンツ購入の情報を記録し（ステップＳ４３９）、購入が完了したことを携帯通信端末２に通知する（ステップＳ４４０）。
【００７６】
サーバ３は、顧客・契約データベース３０２を検索してグローバルＩＰアドレスとポート番号の組み合わせからなる映像記録再生機器１の接続情報を取り出し（ステップＳ４４１）て、この接続情報を用いて映像記録再生装置１に接続しコンテンツ識別子などの情報を送信する（ステップＳ４４２）。映像記録再生装置１は、サーバ３のＵＲＬなど接続情報を用いてサーバ３に接続し、コンテンツ識別子、映像記録再生装置１の映像機器固有識別情報などの情報を送信して（ステップＳ４４３）、ダウンロードを実行する（ステップＳ４４４）。この例では、映像記録再生装置１がダウンロードを行うようにしたが、ソフトウェアの構成などにより、サーバ３から映像記録再生装置１に対してコンテンツを送信するようにしてもよい。
【００７７】
以上に説明したように、実施の形態６に係る情報処理方法又は情報処理システムによれば、サーバ３が、ルータ６のＮＡＴトラバーサル機能を使用し、映像記録再生装置１の映像機器固有識別情報とともにルータ６のグローバルＩＰアドレスとポート番号の組み合わせなどの接続情報を記録しておくことで、サーバ３から映像記録再生装置１に対して購入契約済みコンテンツを帰宅前にダウンロードすることが可能になる。
【００７８】
実施の形態７．
実施の形態７は、映像記録再生装置１、携帯通信端末２、及びサーバ３間で、実施の形態１に係る情報処理方法による固有識別情報の交換が完了した後の情報処理方法に関する。実施の形態７においては、固定的なグローバルＩＰアドレス及びルータのＮＡＴトラバーサル機能のいずれも使用できない場合の、コンテンツの購入、ダウンロード方法を説明する。
【００７９】
図１６は、本発明の実施の形態７に係る情報処理方法を示すシーケンス図である。図１６を用いて、固定的なグローバルＩＰアドレスも、ルータのＮＡＴトラバーサル機能も使用できない場合のコンテンツ購入の例を説明する。先ず、映像記録再生装置１からサーバ３に接続を行い、サーバ３はこの接続を切断しないまま保留しておく（ステップＳ４５１）。ｈｔｔｐ（ハイパーテキスト転送プロトコル）による通信においては、通常クライアントからの要求に対して、直ぐにサーバ３が返信し、通信を切断することが期待されている。ただし、これは必須ではなく、他のプロトコルによる通信と同様、明示的に切断指示がなされなければ接続は持続される。また、その間、双方向で通信を続けることもできる。そこで、ｈｔｔｐ以外のプロトコルで接続するか、ｈｔｔｐを使用する場合でもサーバ３の持続接続用プログラムにおいては切断を保留することによって通信を接続したままにすることができる。なお、経由する回線の状態や介在するゲートウェイなどにより切断してしまうこともあるため、切断を検出すると再度映像記録再生装置１からサーバ３に接続を行う手段を備える。また、サーバ３は、通信の持続接続と映像記録再生装置１との対応付けを行うため持続接続の識別子を映像記録再生装置１の映像機器固有識別情報と対応付けて顧客・契約データベース３０２に登録しておく。
【００８０】
外出先で利用者７が携帯通信端末２を操作し（ステップＳ４５２）、コンテンツの購入操作を実行する（ステップＳ４５３）。このとき携帯通信端末２の端末固有識別情報がサーバ３に送付される。サーバ３は携帯通信端末２の端末固有識別情報を用いて顧客・契約データベース３０２を操作し、コンテンツ購入の情報を記録し（ステップＳ４５４）、購入が完了したことを携帯通信端末２に通知する（ステップＳ４５５）。
【００８１】
サーバ３は、顧客・契約データベース３０２を検索して持続接続の識別子を取り出し（ステップＳ４５６）、持続接続された通信を使って（ステップＳ４５７）、コンテンツ識別子などの情報を映像記録再生装置１に送付する（ステップＳ４５８）。映像記録再生装置１は、サーバのＵＲＬなど接続情報を用いてサーバ３に接続し、コンテンツ識別子、映像記録再生装置１の映像機器固有識別情報などの情報を送付して（ステップＳ４５９）、ダウンロードを実行する（ステップＳ４６０）。
【００８２】
以上に説明したように、実施の形態７に係る情報処理方法又は情報処理システムによれば、映像記録再生装置１がサーバ３に持続的に接続すること既存のシステムを利用して、映像記録再生装置１をサーバ３に接続しておけば、利用者７は、外出先でコンテンツを購入し、帰宅前にコンテンツをダウンロードすることができる。
【００８３】
実施の形態８．
実施の形態８は、映像記録再生装置１、携帯通信端末２、及びサーバ３間で、実施の形態１に係る情報処理方法による固有識別情報の交換が完了した後の情報処理方法に関する。
【００８４】
図１７は、本発明の実施の形態７に係る情報処理方法を示すシーケンス図である。図１７には、映像記録再生装置１が定期的にサーバ３に確認を行い、新規の購入契約済みコンテンツがあればダウンロードする場合が示されている。映像記録再生装置１は、タイマー機能などを使用し定期的にサーバ３に対する確認のための通信を行い、その後遮断する（ステップＳ４７１）。映像記録再生装置１は、通信時には映像記録再生装置１の映像機器固有識別情報をサーバ３に送付する。サーバ３は、顧客・契約データベース３０２を検索して、この映像記録再生装置１に対応付けられた新規の購入契約済みコンテンツの有無を確認し（ステップＳ４７２）、返信する（ステップＳ４７３）。サーバ３は、新規購入が無かった場合はそのまま終了し、次の確認のタイミングで同様の動作を行う（ステップＳ４７４〜Ｓ４７６）。以降、この動作を繰り返し行う。
【００８５】
利用者７が携帯通信端末２を操作し（ステップＳ４７７）、コンテンツの購入手続きを行った場合（ステップＳ４７８）、サーバ３においては顧客・契約データベース３０２に購入記録が書き込まれ（ステップＳ４７９）、その後、携帯通信端末２に契約完了が通知される（ステップＳ４８０）。映像記録再生装置１の次の確認のための通信で（ステップＳ４８１）、サーバ３は、顧客・契約データベース３０２を検索すると（ステップＳ４８２）、新規購入コンテンツが見つかり、コンテンツ識別子を含めた情報を入れて映像記録再生装置１に返信する（ステップＳ４８３）。映像記録再生装置１は、コンテンツ識別子、映像記録再生装置１の映像機器固有識別情報を含めてサーバ３に送付し（ステップＳ４８４）、サーバ３からコンテンツのダウンロードを行う（ステップＳ４８５）。
【００８６】
以上に説明したように、実施の形態８に係る情報処理方法又は情報処理システムによれば、映像記録再生装置１による定期的な確認接続機能を使用して、外出先で購入したコンテンツに対して帰宅前にダウンロードを行うことができる。
【００８７】
実施の形態９．
実施の形態９は、映像記録再生装置１、携帯通信端末２、及びサーバ３間で、実施の形態１に係る情報処理方法による固有識別情報の交換が完了した後の情報処理方法に関する。実施の形態９は、訪問先の映像記録再生装置３１でコンテンツを再生するための情報処理方法を説明する。なお、訪問先の映像記録再生装置３１も、自宅の映像記録再生装置１と同様の構成を有している。
【００８８】
図１８は、本発明の実施の形態９に係る情報処理方法を実施するためのシステムを概略的に示すネットワーク図である。図１８に示されるように、利用者は、映像記録再生装置１、表示装置１ａ、及びルータ６が備えられた自宅４０とは別の場所（外出先４３）にある映像記録再生装置３１、表示装置３１ａ、及びルータ３６を用いてコンテンツの再生を行う。この場合も、サーバ３は、携帯通信端末２の端末固有識別情報及びコンテンツの購入契約は、購入者（利用者）の自宅４０の映像記録再生装置１と結び付けられて、サーバ３に記憶されている。この場合、知人宅のような訪問先４３でコンテンツの再生を行おうとしても、映像記録再生装置３１は、サーバ３は、携帯通信端末２やコンテンツと外出先４３の映像記録再生装置３１との関連付け情報を記憶していない。訪問先４３の映像記録再生装置３１は、インターネットに接続されており、携帯通信端末２は、契約者自身の所有物で契約者宅の映像記録再生装置１とサーバ３を通じて関連付けられているものとする。また、コンテンツは既に購入契約済みであるものとする。
【００８９】
図１９は、実施の形態９に係る情報処理方法（再生時）の一例を示すシーケンス図である。図１９に示されるように、利用者７は、訪問先４３で携帯通信端末２を操作して購入契約済みリストから再生を希望するコンテンツを選択する（ステップＳ５０１）。携帯通信端末２は、サーバ３に対し、購入契約済みリストで選択したコンテンツを再生することを通知する（ステップＳ５０２）。また、携帯通信端末２は、訪問先の映像記録再生装置３１に対して赤外線通信を用いて、サーバ３のＵＲＬなど接続情報とコンテンツ識別子、携帯通信端末２の端末固有識別情報を送付して（ステップＳ５０３）、ダウンロードを指示する。映像記録再生装置３１は、送付された情報を元にサーバ３に接続しダウンロードの要求を行う（ステップＳ５０４）。サーバ３は、顧客・契約データベース３０２を検索し、契約時の映像記録再生装置１の映像機器固有識別情報と異なることを認識するが、ステップＳ５０２で登録済みの携帯通信端末２から再生を行うことが通知されているため、訪問先における再生と判断して（ステップＳ５０５）、ダウンロード及び再生を許可する（ステップＳ５０６）。映像記録再生装置３１は、サーバ３からコンテンツをダウンロードし、ダウンロードされたコンテンツの再生を行う（ステップＳ５０７）。
【００９０】
サーバ３は、ダウンロード時に訪問先４３における再生要求であることを把握しているため、実際に送付するコンテンツに制限を加えるための変更をすることも可能である。制限としては、例えば、時間制限を付けて一定時間が経過するとダウンロードされたコンテンツが消去されるようにすること、訪問先においては低画質のコンテンツしか再生できないようにすること、ディスクメディアへの書き込みを制限すること、コンテンツのストリーミング再生のみを許可しダウンロードできないようにすることなどがある。
【００９１】
以上に説明したように、実施の形態９に係る情報処理方法又は情報処理システムによれば、映像記録再生装置１、携帯通信端末２、及びサーバ３の固有識別情報を用いて関連付けているため、訪問先における再生も行うことができ、訪問先で再生が許可されるコンテンツに制限を加えることも可能になる。
【００９２】
実施の形態１０．
実施の形態１０は、映像記録再生装置１、携帯通信端末２、及びサーバ３間で、実施の形態１に係る情報処理方法による固有識別情報の交換が完了した後の情報処理方法に関する。実施の形態１０は、訪問先の映像記録再生装置３１でコンテンツを再生するための情報処理方法を説明する。なお、訪問先の映像記録再生装置３１も、自宅の映像記録再生装置１と同様の構成を有している。
【００９３】
図２０は、本発明の実施の形態１０に係る情報処理方法を実施するためのシステムを概略的に示すネットワーク図である。図２０に示されるように、利用者は、映像記録再生装置１、表示装置１ａ、及びルータ６が備えられた自宅４０とは別の場所（外出先４３）にある映像記録再生装置３１、表示装置３１ａ、及びルータ３６を用いてコンテンツの再生を行う。この場合も、サーバ３は、携帯通信端末２の端末固有識別情報及びコンテンツの購入契約は、購入者の自宅４０の映像記録再生装置１と結び付けられて、サーバ３に記憶されている。この場合、知人宅のような訪問先４３でコンテンツの再生を行おうとしても、サーバ３は、携帯通信端末２やコンテンツと外出先４３の映像記録再生装置３１との関連付け情報を記憶していない。訪問先４３の映像記録再生装置３１は、インターネット４に接続されており、携帯通信端末２は、契約者自身の所有物で契約者宅の映像記録再生装置１とサーバ３を通じて関連付けられているものとする。また、コンテンツはすでに購入契約済みであるものとする。図２０に示されるように、携帯通信端末２は、契約者本人のものであり、映像記録再生装置１とサーバ３と関連付けられており、最初は屋外（破線で示す）におり、その後に訪問者宅４３に持ち込まれる。
【００９４】
図２１は、実施の形態１０に係る情報処理方法（再生時）の一例を示すシーケンス図である。図２１に示されるように、利用者７は、携帯通信端末２を用いて購入契約済みリストから訪問先で再生を希望するコンテンツを選択し、訪問先における事前ダウンロードのためのコンテンツ識別子（ＣＯＮ）の発行依頼を行う（ステップＳ５１１）携帯通信端末２は自身の端末固有識別情報とコンテンツ識別子をサーバ３に送付する。サーバ３は、コンテンツ識別子（ＣＯＮ）を作成し顧客・契約データベース３０２に登録し（ステップＳ５１３）、携帯通信端末２に送付する（ステップＳ５１４）。
【００９５】
携帯通信端末２は、画面表示などにより契約者（利用者７）にダウンロードのためのコンテンツ識別子（ＣＯＮ）を伝え（ステップＳ５１５）、契約者は電話やメールで訪問先の家人（他の利用者）８にダウンロードのためのコンテンツ識別子を伝えダウンロード操作を行うように依頼する（ステップＳ５１６）。訪問先の家人８は映像記録再生装置３１のダウンロード操作を行い、ダウンロードのためのコンテンツ識別子の入力を行う（ステップＳ５１７）。映像記録再生装置３１はサーバ３に接続し、ダウンロードのためのコンテンツ識別子を送付してダウンロード要求を行う（ステップＳ５２４）。サーバ３は、顧客・契約データベース３０２を検索してダウンロードのためのコンテンツ識別子に相当するコンテンツを取り出し、ダウンロードを実行し（ステップＳ５２０）、映像記録再生装置３１がこれを記録する。
【００９６】
契約者が訪問先に到着した後、契約者は、携帯通信端末２を操作して（ステップＳ５２１）、携帯通信端末２の端末固有識別情報を再生指示とともに映像記録再生装置３１に送付する（ステップＳ５２２）。次に、映像記録再生装置３１は、携帯通信端末２の端末固有識別情報とダウンロードのためのコンテンツ識別子を、サーバ３に送付して、再生認証を要求する。サーバ３においては顧客・契約データベース３０２を検索し、ダウンロードのためのコンテンツ識別子と携帯通信端末２の端末固有識別情報が一致すれば認証を行い（ステップＳ５２４）、再生に必要な情報を映像記録再生装置３１に送付する（ステップＳ５２５）。映像記録再生装置３１は、返送された情報を使用してダウンロード済みコンテンツの再生を行う（ステップＳ５２６）。
【００９７】
以上に説明したように、実施の形態１０に係る情報処理方法又は情報処理システムによれば、映像記録再生装置１、携帯通信端末２、及びサーバ３の固有識別情報を用いて関連付けているため、訪問先における事前ダウンロードを行うことができる。
【００９８】
実施の形態１１．
実施の形態１１は、上記実施の形態１乃至１０の映像記録再生装置１におけるバーコード表示のための情報処理方法に関する。
【００９９】
図２２は、本発明の実施の形態１１に係る情報処理方法を実施するためのシステムを概略的に示すネットワーク図である。図２２には、映像記録再生装置１によって生成され、表示装置１ａの画面に表示されたバーコード１１を、携帯通信端末２のカメラ部（図３の符号２０８）によって読み取り、携帯通信端末２のバーコード解読部（図３の符号２０９）によって解読する場合を示している。このとき、太陽９からの直射日光のような強い光が表示装置１ａの画面に当たっていたならば、携帯通信端末２はバーコード１１を正確に認識できないことがある。実施の形態１１の映像記録再生装置１は、映像記録再生装置１が表示装置１ａに表示させたバーコード１１を携帯通信端末２で読み取るときの誤読み取りを少なくするための手段を備えている。
【０１００】
図２３は、実施の形態１１に係る情報処理方法を実施する映像記録再生装置１の概略的な構成図である。図２３に示されるように、実施の形態１１の映像記録再生装置１は、表示装置１ａの近くに備えられ、表示装置１ａ周辺の明るさを検知する光センサ１１６と、この光センサ１１６から出力される検知信号に基づいて、表示されるバーコード１１の明るさ及び／又はコントラストを調整する輝度／コントラスト調整部１１７とを備えている。輝度／コントラスト調整部１１７は、例えば、光センサ１１６が強い光を検知したときに、表示されるバーコード１１の明るさ及び／又はコントラストを高くする調整を行うことによって、バーコード１１の誤読み取りを少なくすることができる。
【０１０１】
図２４は、実施の形態１１に係る情報処理方法における誤り訂正レベルの変更処理の一例を示す図である。実施の形態１１の映像記録再生装置１は、図２３の輝度／コントラスト調整部１１７に代えて、又は、輝度／コントラスト調整部１１７に加えて、誤り訂正レベルを変化させる調整部を備えてもよい。バーコード１１を表示する画像の品質が悪い場合には、バーコードの読み取り時に誤読み取りが発生する可能性が高くなる。そこで、実施の形態１１においては、状況に応じて誤り訂正レベルを変化させる調整部を備えてもよい。誤り訂正レベルは、光センサ１１６の検知信号に応じて誤り訂正レベルを変化させてもよく、利用者７の操作によって増加・減少させてもよく、表示開始後の経過時間に応じて変更（例えば、表示開始後、表示状態が安定するまで誤り訂正レベルを増加させておくなど）してもよい。このように、誤り訂正レベルの変更により、誤読み取りの確率を下げることができる。
【０１０２】
図２５は、実施の形態１１に係る情報処理方法におけるバーコードのサイズ変更処理の一例を示す図である。実施の形態１１の映像記録再生装置１は、図２３の輝度／コントラスト調整部１１７に代えて、又は、輝度／コントラスト調整部１１７に加えて、バーコード１１のサイズ変更部を備えてもよい。バーコードを表示する画面の品質や、表示装置１ａの設置場所（例えば、リビング、自動車内など）によって適切なバーコードのサイズが異なることが考えられる。このような場合、そこで、実施の形態１１においては、図２５に示されるように、状況に応じてバーコードのサイズを変更するようにしている。サイズの変更は、利用者７の操作によってもよいし、表示後の経過時間で変更するようにしてもよいし、他の状況（例えば、光センサ１１６の検知信号）に応じて変化させてもよい。
【０１０３】
図２６は、実施の形態１１に係る情報処理方法の一例を示すフローチャートである。図２６に示されるように、映像記録再生装置１は、バーコード表示用のデータを用意し（ステップＳ１１）、このデータを元にコードイメージを作成する（ステップＳ１２）。この際、映像記録再生装置１は、パラメータとして、誤り訂正レベル、コードイメージのサイズを指定する。次に、映像記録再生装置１は、画面イメージを作成し（ステップＳ１３）、この中にコードイメージを埋め込む。この際、映像記録再生装置１は、パラメータとして、表示輝度及び／又はコントラストを指定する。次に、映像記録再生装置１は、コードイメージが埋め込まれた画面イメージを、表示装置１ａの画面に表示させる（ステップＳ１４）。
【０１０４】
次に、利用者７は、携帯通信端末２のバーコード読み取り機能を起動し、携帯通信端末２のカメラ部を用いて表示装置１ａの画面に表示されたバーコード１１を撮影する（ステップＳ１５）。次に、携帯通信端末２は、撮影したバーコード１１を画像分析してバーコード１１が保有する情報を取り出し（ステップＳ１６）、誤り訂正を行って（ステップＳ１７）、元のデータを取り出す（ステップＳ１８）。このようにして、映像記録再生装置１から携帯通信端末２に情報を送信する。
【０１０５】
以上に説明したように、実施の形態１１に係る情報処理方法又は情報処理システムによれば、表示装置１ａに表示させるバーコード１１の輝度及び／又はコントラスト、誤り訂正レベル、サイズを変更する手段を備えているので、携帯通信端末２によるバーコードの誤読み取りを少なくすることができる。
【０１０６】
なお、実施の形態１１において、上記以外の点は、上記実施の形態１乃至１０のいずれかと同じである。
【符号の説明】
【０１０７】
１  映像記録再生装置、  １ａ  表示装置、  ２  携帯通信端末、  ３  サーバ、  ４  インターネット、  ５  携帯電話網、  ６  ルータ、  ７  利用者、  ８  他の利用者、  ３１  他の映像記録再生装置、  ３１ａ  表示装置、  １０１  近接通信インタフェース、  １０３  認証情報登録部、  １０４  認証情報確認部、  １０５  不揮発性メモリ、  １０６  バーコード生成部、  １０７  ネットワークインタフェース、  １０８  ダウンロード制御部、  １０９  データ格納部、  １１０  再生制御部、  １１１  暗号復号部、  １１２  デコーダ、  １１３  画像出力部、  １１４  バス、  １１５  操作部、  １１６  光センサ、  １１７  輝度／コントラスト調整部、  ３０１  コンテンツデータベース、  ３０２  顧客・契約データベース、  ３０３  コンテンツ検索ページ、  ３０４  コンテンツ購入ページ、  ３０５  認証サービス部、  ３０６  Ｗｅｂサーバ、  ３０７  ダウンロード・ストリーミングサーバ、  ３０８  ネットワークインタフェース。
【図１】
2010267073.tif 000003
【図２】
2010267073.tif 000004
【図３】
2010267073.tif 000005
【図４】
2010267073.tif 000006
【図５】
2010267073.tif 000007
【図６】
2010267073.tif 000008
【図７】
2010267073.tif 000009
【図８】
2010267073.tif 000010
【図９】
2010267073.tif 000011
【図１０】
2010267073.tif 000012
【図１１】
2010267073.tif 000013
【図１２】
2010267073.tif 000014
【図１３】
2010267073.tif 000015
【図１４】
2010267073.tif 000016
【図１５】
2010267073.tif 000017
【図１６】
2010267073.tif 000018
【図１７】
2010267073.tif 000019
【図１８】
2010267073.tif 000020
【図１９】
2010267073.tif 000021
【図２０】
2010267073.tif 000022
【図２１】
2010267073.tif 000023
【図２２】
2010267073.tif 000024
【図２３】
2010267073.tif 000025
【図２４】
2010267073.tif 000026
【図２５】
2010267073.tif 000027
【図２６】
2010267073.tif 000028